【事件の表示】
　平成９年特許願第３６８４３４号「パネルの天井吊り構造」拒絶査定に対する審判事件［平成１１年７月２１日出願公開、特開平１１−１９３５９７］について、次のとおり審決する。
【結　論】
　本件審判の請求は、成り立たない。
【理　由】
【１】手続の経緯
　本願は、平成９年１２月２９日の出願であって、平成１３年１２月２０日付で拒絶査定がなされ、これに対し、平成１４年１月２４日付で拒絶査定に対する審判請求がなされ、同年２月７日付で手続補正がなされた。
　
【２】平成１４年２月７日付の手続補正についての補正却下の決定
［補正却下の決定の結論］
　平成１４年２月７日付の手続補正（以下、「本件補正」という。）を却下する。
［理由］
　本件補正は、特許請求の範囲の減縮を目的として、その請求項１を次のとおりに補正することを含むものである。
「一対の表面板間に心材を介在し、取付側周辺部に中空補強材を装着してなるパネルを、固定金具を介して天井レールに架設してなるパネルの天井吊り構造において、
　上記中空補強材は、上記パネルの両表面板に空隙なく接着され、
　上記天井レールは、断面略逆Ｔ字状の基部と、この基部の下部水平片の側端に起立する係止凸条とを具備し、
　上記固定金具は、上記パネルの取付側上面に空隙なく当接する取付基部と、この取付基部の一端から屈曲しかつ上記
係止凸条と密に嵌合する係止溝部
　上記固定金具の係止溝部を、上記天井レールの係止凸条に嵌合すると共に、取付基部と上記中空補強材の頂部下面に添設される取付座とを固定ボルトを締付けて固定してなる、ことを特徴とするパネルの天井吊り構造。」
　しかし、上記アンダーラインを付した構成、すなわち、係止凸条と係止溝部とが「密に嵌合する」点については、出願当初の明細書や図面には何ら記載されていない事項である。
　図２，４等には、互いに接する部材や構成要素相互は隙間無く記載されているのに対して、係止凸条と係止溝部との間には若干の隙間が認められる。この記載によれば、目的は不明であるが、係止溝部は係止凸条に「密に」嵌合するのではなく、むしろ積極的に隙間あるいは若干の余裕をもって嵌合するものとされていたと解するのが相当である。
　したがって、本件補正は、特許法第１７条の２第４項各号の規定に違反しているから、同法第１５９条第１項において読み替えて準用する同法第５３条第１項の規定により却下すべきものである。
　よって、上記［補正却下の決定の結論］のとおり、決定する。
　
【３】本願発明について
（１）本願発明
　本願の各請求項に係る発明は、平成１４年２月７日付手続補正が上記のとおり却下されたので、平成１３年８月３日付手続補正書により補正された明細書、及び、図面の記載からみて、その特許請求の範囲の請求項１〜３に記載された事項により特定される継のとおりのものと認める。
「【請求項１】一対の表面板間に心材を介在し、取付側周辺部に中空補強材を装着してなるパネルを、固定金具を介して天井レールに架設してなるパネルの天井吊り構造において、
　上記中空補強材は、上記パネルの表面板に接着され、
　上記天井レールは、断面略逆Ｔ字状の基部と、この基部の下部水平片の側端に起立する係止凸条とを具備し、
　上記固定金具は、上記パネルの取付側上面に当接する取付基部と、この取付基部の一端から屈曲しかつ上記係止凸条と嵌合する係止溝部とを具備し、
　上記固定金具の係止溝部を、上記天井レールの係止凸条に嵌合すると共に、取付基部と上記中空補強材の頂部下面に添設される取付座とを固定ボルトにて固定してなる、ことを特徴とするパネルの天井吊り構造。
　【請求項２】（記載を省略）
　【請求項３】（記載を省略）」
　（以下、請求項１記載の発明を「本願発明」という。）
　
（２）引用刊行物
　原査定の拒絶の理由で引用された、実願平５−２０５２３号（実開平６−７３２１３号）のＣＤ−ＲＯＭ（以下、「刊行物」という。）には、以下の記載がある。
　「【０００６】……この考案のパネルの天井吊り構造は、一対の表面板間に心材を介在し、周辺に枠材を装着してなるパネルを、取付具を介して天井レールに架設してなるパネルの天井吊り構造を前提とし、上記パネルの取付側周辺部における両表面板間に、断面矩形状の中空補強材を介在させ、この中空補強材の頂部下面に取付座を添設し、上記取付具と取付座とを固定ボルトにて固定してなることを特徴とするものである。」
　「【００１４】
【実施例】以下にこの考案の実施例を図面に基いて詳細に説明する。……。
　【００１５】
　図１はこの考案の天井吊り構造のパネルの取付状態の断面斜視図、図２は図１のＡ−Ａ線断面図、図３は図２のＢ−Ｂ線断面図が示されている。
　【００１６】
　この考案におけるパネル１は、一対の表面板２間に……心材３を介在させると共に、表面板２の周辺部に枠材４を四周に装着してなり、また、パネル１の取付側周辺部における両表面板２間に、更に断面矩形状の中空補強材１０をパネルの四隅又は平行する２辺の全長あるいはその両端に介在させ、この中空補強材１０の頂部下面にパネル１を天井レール３０に固定するための取付座１５を添設してなる。
　【００１７】
　この場合、上記表面板２は……矩形状板部材にて成形され、その周辺の折曲部２ａが枠材４の垂直部５に設けられた嵌合溝５ａ内に嵌挿されている。なお、枠材４の嵌合溝５ａには表面板２と心材３とを貼着する接着剤の外部への流出を防止するための接着剤溜り５ｂが設けられている。……。
　【００１８】
　上記中空補強材１０は……中空矩形状基部１１と、この基部１１の側壁の外面上部及び下部から外側に向って突出する上部水平片１２ａ及び下部水平片１２ｂと、基部１１の側壁内面に突出する凸条１３とで構成され、基部１１の側壁内面と凸条１３とで取付溝１４が構成され、パネル各辺と同一長さ又は短い所要の長さとされている。このように構成される中空補強材１０の上部水平片１２ａと表面板２との間に枠材４の上部袖部７が挾持され、下部水平片１２ｂと表面板２との間には枠材４の下部袖部７が挾持されている。したがって、表面板２は、同一平面上に位置する心材３、中空補強材１０及び枠材４の袖部７の表面に接着剤を介して貼付される。
　【００１９】
　中空補強材１０の取付溝１４に嵌挿固定される取付座１５は鉄製断面Ｌ字状部材にて形成されており、中空補強材１０と同一長さ又はそれより少し長くされ、この取付座１５の水平部の下面にナット１６を溶接等によって固着してなる。このように構成される取付座１５は、中空補強材１０の取付溝１４に嵌挿されて、中空補強材１０の頂部に穿設された取付穴１０ａとナット１６とが合致されると共に、中空補強材１０より突出した状態で固定され、その突出部１７と表面板２との間に枠材４の上部袖部７を挾持してなる（図３参照）。したがって、表面板２は、同一平面上に位置する心材３、中空補強材１０及び取付座１５の突出部１７上の枠材４の袖部７の表面に接着剤を介して貼付される。なお、枠材４の下部袖部７を中空補強材１０の下面に合せておけば、同様に表面板２を同一平面上に貼付することができる。
　【００２０】
　次に、上記のように構成されるパネル１を天井レール３０に架設する手順について説明する。
　【００２１】
　まず、天井スラブ３１にアンカー３２をもって垂下される吊りボルト３３の下端にＵボルトにて形成される支持金具３４を支持し、この支持金具３４にナット３５をもって断面逆Ｔ字状の天井レール３０を吊持する。次に、天井レール３０の下面にパッキング３６を介してパネル１を仮保持した状態で配設し、このパネル１の上面に天井レール３０の下部フランジ３０ａに設けられた係止凸条３０ｂに係合する断面ハット状の取付具２５を位置させた後、取付具２５に設けられた取付穴（図示せず）及び予めパネル１の表面板２に設けられた取付穴（図示せず）を介して固定ボルト２０を取付座１５のナット１６にねじ結合して天井レール３０にパネル１を架設することができる。この場合、パネル１の４隅に配設された取付座１５と取付具２５を固定ボルト２０にて固定してパネル１を架設する。……。」
　そして、上記「取付具２５」は、「断面ハット状」と記載されているが、図２，４等の記載によれば、固定ボルト２０が挿通される水平部と、その一側から垂下して天井レール３０の下部フランジ３０ａに設けられた係止凸条３０ｂに係合する垂下部と、上記水平部の他側から垂下する鉛直部と、この鉛直部の下縁から水平に延びてパネル１の取付側上面に当接するパネル当接部と、から構成されていることが、当業者に明らかな事項である。
　したがって、刊行物には以下の発明が記載されていると認められる。
「一対の表面板２間に心材３を介在し、取付側周辺部に中空補強材１０を装着してなるパネル１を、取付具２５を介して天井レール３０に架設してなるパネル１の天井吊り構造において、
　上記中空補強材１０は、上記パネル１の表面板２に接着され、
　上記天井レール３０は、断面略逆Ｔ字状の基部と、この基部の下部フランジ３０ａの側端に起立する係止凸条３０ｂとを具備し、
　上記取付具２５は、上記パネル１の取付側上面に当接するパネル当接部と、このパネル当接部の一端から屈曲した鉛直部と、その鉛直部から水平に延びる固定ボルト２０が挿通される水平部と、この水平部から屈曲し上記係止凸条３０ｂと係合する垂下部とを具備し、
　上記取付具２５の垂下部を、上記天井レールの係止凸条に係合すると共に、水平部と上記中空補強材１０の頂部下面に添設される取付座１５とを固定ボルト２０にて固定してなる、
　パネルの天井吊り構造。」
　
（３）対比・判断
　本願発明と、上記刊行物記載の発明とを対比すると、刊行物記載の発明の「下部フランジ３０ａ」、「取付具２５」、及び「パネル当接部」は、本願発明の「下部水平片」、「固定金具」、及び「取付基部」にそれぞれ相当する。そして、本願発明における「天井レールの係止凸条に嵌合する係止溝部」も、刊行物記載の発明における「天井レールの係止凸条に係合する垂下部」も共に、「天井レールの係止凸条に係合する係止部」といえるから、両者は、
「一対の表面板間に心材を介在し、取付側周辺部に中空補強材を装着してなるパネルを、固定金具を介して天井レールに架設してなるパネルの天井吊り構造において、
　上記中空補強材は、上記パネルの表面板に接着され、
　上記天井レールは、断面略逆Ｔ字状の基部と、この基部の下部水平片の側端に起立する係止凸条とを具備し、
　上記固定金具は、上記パネルの取付側上面に当接する取付基部と、上記係止凸条と連結する係止部とを具備し、
　上記固定金具の係止部を、上記天井レールの係止凸条に係合すると共に、固定金具と取付座とを固定ボルトにて固定してなる、パネルの天井吊り構造。」
の点で一致し、以下の点で相違している。
　
　相違点：本願発明は、固定金具が、パネルの取付側上面に当接する取付基部と、この取付基部の一端から屈曲しかつ係止凸条と嵌合する係止溝部とを具備し、その係止溝部を、天井レールの係止凸条に嵌合すると共に、その取付基部によって固定ボルトを固定してなるものであるのに対し、刊行物記載の発明は、固定金具が、パネルの取付側上面に当接するパネル当接部と、このパネル当接部の一端から屈曲した鉛直部と、その鉛直部から水平に延びる水平部と、この水平部から屈曲し係止凸条と係合する垂下部とを具備し、その垂下部を、上記天井レールの係止凸条に係合すると共に、パネルと離間した水平部によって固定ボルトを固定してなるものである点
　
　上記相違点について検討する。
　相違点として摘記した本願発明における固定金具の構成やその固定構造は、原査定の拒絶の理由で引用された、実願昭６２−１２１９５７号（実開昭６４−２７３０５号）のマイクロフィルム等にみられるとおり従来周知の技術にすぎず、そのような周知技術を刊行物記載の発明に適用して本願発明となす点には格別困難性は認められず、当業者が必要に応じ適宜なし得る設計変更にすぎない。
　そして、本願発明が奏する作用効果も、当業者が予期し得る程度のものであって、格別のものとはいえない。
　
　したがって、本願発明は、上記刊行物に記載された発明及び周知技術に基いて当業者が容易に発明をすることができたものであり、特許法第２９条第２項の規定により特許を受けることができないものであるから、他の請求項に係る発明について検討するまでもなく、本願は、拒絶すべきものである。
　よって、結論のとおり審決する。